(57)【要約】【課題】ファインダに表示される焦点検出枠の視認性を高めることができる光学機器の表示装置を提供する。【解決手段】焦点検出枠１２ｇは、端部の列Ａと、端部以外の列Ｂとに区分される。プリズム１２−１ｇは、端部以外の列Ｂを形成している。プリズム１２０−２ｇは、端部の列Ａを形成している。プリズム１２−１ｇ，１２−２ｇは、その稜線が水平方向に対して傾いた稜線方向１２ｇＡに沿って配列され、照明手段からの入射光Ｌ７’に対して略直交するように配列されている。プリズム１２−１ｇの長さＬ１ｇは、プリズム１２−２ｇの長さＬ２ｇよりも短い。【選択図】        図７
2005037493.tif 000002
【特許請求の範囲】
【請求項１】
結像光学系の結像面近傍に配置され、前記結像光学系による被写体像を結像するスクリーンと、該スクリーン上の前記結像面近傍に二次元に配列された複数の柱状屈折部材からなる指標部とを備えた光学機器の表示装置において、
前記複数の柱状屈折部材は、前記二次元の配列の一方向に対して傾斜して配列されると共に、前記二次元の配列の他方向に複数列配列され、
前記複数列のうち前記一方向の端部に存在する第１の柱状屈折部材列を除いた第２の柱状屈折部材列を構成する前記柱状屈折部材は、前記第１の柱状屈折部材列を構成する前記柱状屈折部材の長さよりも短いこと、
を特徴とする光学機器の表示装置。
【請求項２】
請求項１に記載の光学機器の表示装置において、
前記指標部を照明する照明手段を備え、
前記傾斜の方向は、前記指標部を照明する光束の光軸に対して直交する方向であり、
前記柱状屈折部材の長手方向を前記傾斜の方向と一致させること、
を特徴とする光学機器の表示装置。
【請求項３】
請求項１又は請求項２に記載の光学機器の表示装置において、
前記第２の柱状屈折部材列を構成する柱状屈折部材のうち、前記他方向の端部に配置された柱状屈折部材は、当該列の他の柱状屈折部材の長さよりも短いこと、
を特徴とする光学機器の表示装置。
【請求項４】
請求項１から請求項３までのいずれか１項に記載の光学機器の表示装置において、
前記スクリーンは、屈折力を有する光学部材であって、
前記指標部は、前記光学部材と一体に形成されていること、
を特徴とする光学機器の表示装置。
【発明の詳細な説明】
【０００１】
【発明の属する技術分野】
本発明は、カメラ、ビデオカメラ、双眼鏡等の光学機器であって、選択された焦点検出枠等の指標を照明してファインダに表示する、いわゆるスーパーインポーズ表示を行う光学機器の表示装置に関するものである。
【０００２】
【従来の技術】
一般的に、スーパーインポーズ表示を行う光学機器は、例えば、フォーカシングスクリーンに被写体像を結像させるための結像光学系と、この被写体像をペンタプリズムを介して観察可能とするためのファインダ光学系とを備えている。
フォーカシングスクリーンは、被写体像の予定結像面と等価な位置の近傍に配置され、表示部が形成された反射板と、コンデンサレンズ等を備え、所望の照明手段（例えば、レンズモールド型ＬＥＤ等）を用いて、表示部を照明することにより、表示部からの反射光を、被写体像と共にファインダで観察することができる。
【０００３】
表示部には、複数の微小プリズムが配列されて構成された焦点検出枠が形成されている。この表示部の視認性は、表示部の反射光が観察者のアイポイントに到達することにより向上するため、プリズムの稜線（プリズムの斜面同士の接線）の向きに対する照明手段による入射光の入射角度が重要な要素となる。
【０００４】
プリズムへの入射光の入射角度を考慮した従来の光学機器の表示装置としては、例えば、プリズムの稜線の向きに対して、照明手段による入射光が略直交するように、プリズムを配列するものが提案されており、表示部からの反射光は、観察者のアイポイントに到達することになり、観察者は、視線を振ることなく全ての焦点検出枠を視認することができる（例えば、特許文献１参照）。
【０００５】
【特許文献１】
特開２０００−１２２１５６号公報
【０００６】
【発明が解決しようとする課題】
しかし、上述した光学機器の表示装置では、以下のような課題があった。
図１０は、従来の焦点検出枠の部分拡大図である。なお、説明の便宜上、焦点検出枠の設計上の大きさ（設計寸法）を二点鎖線で示す。
焦点検出枠１２０ｇは、端部の列Ａと、端部以外の列Ｂとに区分される。焦点検出枠１２０ｇには、例えば、複数のプリズムが二次元に配列されている。複数のプリズムは、端部以外の列Ｂ（ここでは、４列）を構成するプリズム１２０−１ｇと、端部の列Ａを構成するプリズム１２０−２ｇとに区分される。
【０００７】
プリズム１２０−１ｇ，１２０−２ｇは、斜面１２０ｇ１，１２０ｇ２と、これら斜面１２０ｇ１，１２０ｇ２の接線である稜線１２０ｇＡとを有する。プリズム１２０−１ｇ，１２０−２ｇは、その稜線１２０ｇＡが照明手段からの入射光の入射方向Ｌ７’に対して略直交するように、水平方向に対して傾いた稜線１２０ｇＡの方向に沿って配列されている。
【０００８】
表示部に形成された焦点検出枠１２０ｇの視認性について説明する。
（１）プリズム１２０−１ｇは、端部以外の列Ｂを構成するために、列ごとに３個配列され、焦点検出枠１２０ｇの設計寸法である縦幅ｂより大きくなっている。このため、プリズム１２０−１ｇが配列されて構成された焦点検出枠１２０ｇの一部（端部以外の列Ｂの外縁）は、ファインダで直線でなくギザギザに観察され、さらに、焦点検出枠１２０ｇの縦幅は、設計寸法である縦幅ｂより大きくなり、太く観察されてしまう。
この表示部の視認性の低下は、ファインダ倍率が高い光学機器（例えば、一眼レフカメラ）、マグニファイヤー（拡大鏡）が装着された光学機器等において、特に、顕著となる。
（２）表示部には、焦点検出枠１２０ｇだけでなく、他の焦点検出枠が適宜の位置（エリア）に形成される。したがって、照明手段と各エリアとの位置関係により、各焦点検出枠を構成するために配列された各プリズムの稜線方向はエリアにより異なることになり、上記「ギザギザ」の程度も変わるので、各焦点検出枠のファインダでの見え方はエリアの位置毎に変わってしまう。
【０００９】
本発明の課題は、ファインダに表示される焦点検出枠等の指標の視認性を高めることができる光学機器の表示装置を提供することである。
【００１０】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、結像光学系の結像面近傍に配置され、前記結像光学系による被写体像を結像するスクリーン（１２）と、該スクリーン（１２）上の前記結像面近傍（１２Ａ）に二次元に配列された複数の柱状屈折部材（１２−１ｇ，１２−２ｇ）からなる指標部（１２ａ〜１２ｉ）とを備えた光学機器の表示装置において、前記複数の柱状屈折部材（１２−１ｇ，１２−２ｇ）は、前記二次元の配列の一方向に対して傾斜して配列されると共に、前記二次元の配列の他方向に複数列（Ａ，Ｂ）配列され、前記複数列（Ａ，Ｂ）のうち前記一方向の端部に存在する第１の柱状屈折部材列（Ａ）を除いた第２の柱状屈折部材列（Ｂ）を構成する前記柱状屈折部材（１２−１ｇ）は、前記第１の柱状屈折部材列（Ａ）を構成する前記柱状屈折部材（１２−２ｇ）の長さ（Ｌ２ｇ）よりも短いこと、を特徴とする光学機器の表示装置である。
【００１１】
請求項２の発明は、請求項１に記載の光学機器の表示装置において、前記指標部（１２ａ〜１２ｉ）を照明する照明手段（３０）を備え、前記傾斜の方向（１２ｇＡ）は、前記指標部（１２ａ〜１２ｉ）を照明する光束の光軸（Ｌ１’〜Ｌ７’）に対して直交する方向であり、前記柱状屈折部材（１２−１ｇ，１２−２ｇ）の長手方向を前記傾斜の方向（１２ｇＡ）と一致させること、を特徴とする光学機器の表示装置である。
【００１２】
請求項３の発明は、請求項１又は請求項２に記載の光学機器の表示装置において、前記第２の柱状屈折部材列（Ｂ）を構成する柱状屈折部材（１２−１ｇ’）のうち、前記他方向の端部に配置された柱状屈折部材（１２−１Ｇ）は、当該列の他の柱状屈折部材の長さ（Ｌ１ｇ’，Ｌ１ｇ’’）よりも短いこと、を特徴とする光学機器の表示装置である。
【００１３】
請求項４の発明は、請求項１から請求項３までのいずれか１項に記載の光学機器の表示装置において、前記スクリーン（１２）は、屈折力を有する光学部材であって、前記指標部（１２ａ〜１２ｉ）は、前記光学部材と一体に形成されていること、を特徴とする光学機器の表示装置である。
【００１４】
【発明の実施の形態】
以下、図面等を参照しながら、本発明の実施形態について、更に詳しく説明する。
図１は、本発明による光学機器の表示装置の実施形態を示す図である。ここでは、表示装置を備えた光学機器の一例として、カメラシステムを示す。
カメラシステム１００は、不図示のレンズ鏡筒と、レンズ鏡筒が装着されるカメラボディ５０等を備えている。カメラボディ５０は、例えば、カメラ上部の外観部材であるカメラ上カバー１と、レンズ鏡筒内の撮影光学系（結像光学系）を介した被写体光Ｌをファインダ７で観察可能とするためのファインダ光学系４０と、投光部３０と、測光レンズ８と、測光センサ９と、各種電子回路を搭載したフレキシブルプリント基板２３等を備えている。
【００１５】
ファインダ光学系４０では、可動ミラー３により反射された被写体光Ｌは、フォーカシングスクリーン１１と、視野マスク２４と、コンデンサレンズ１２と、ペンタプリズム１３と、接眼レンズ５，６とを介して、撮影者（観察者）によりファインダ７で観察される。可動ミラー３がミラーアップして不図示の撮影位置（ミラーアップ位置）にあるときには、被写体光Ｌは、フィルム２に到達してフィルム２を露光する。
【００１６】
フォーカシングスクリーン１１は、フレネル面１１ａとピント面（マット面）１１ｂとを有している。コンデンサレンズ１２は、下面１２Ａと上面１２Ｂとを有している。フォーカシングスクリーン１１、コンデンサレンズ１２及びペンタプリズム１３は、カメラボディ５０に支持されている。
【００１７】
測光レンズ８及び測光センサ９は、被写体輝度を測定するためのものであって、ペンタプリズム１３の後部であって、接眼レンズ５，６の近傍に配置されている。フレキシブルプリント基板２３は、ペンタプリズム１３の外周を覆うように配置されている。
【００１８】
視野マスク２４は、例えば、コンデンサレンズ１２の下面１２Ａに配置され、ファインダ７で観察可能な範囲を制限する。視野マスク２４は、観察者が視線を振ったときの視差をなくすためにピント面１１ｂ上に配置される。
【００１９】
コンデンサレンズ１２は、歪曲収差を補正すると共に、フォーカシングスクリーン１１のピント面１１ｂからの拡散光を観察者のアイポイントに集光させるためのレンズであって、例えば、ファインダ７で被写体光Ｌが観察されるときに、歪曲がなく明るい表示を行うことができる。コンデンサレンズ１２の下面１２Ａには、表示部（プリズムで構成された指標を有する）が一体に形成されており、例えば、後述する焦点検出枠１２ａ〜１２ｉがそれぞれ適宜の位置に形成されている。
【００２０】
投光部３０は、例えば、ペンタプリズム１３の前部に配置され、ホルダ２２によって支持された硬質基板１５と、硬質基板１５に固定されたチップ型発光ダイオード（以下、ＬＥＤという）１６と、第一遮光部材１７と、レンズアレイ１８と、第二遮光部材１９と、拡散板２０と、絞りマスク２１と、プリズム１４等を備えている。投光部３０は、観察者により選択された焦点検出枠１２ａ〜１２ｉ等の指標を被写体光Ｌと重畳してファインダ７で同時に観察する、いわゆるスーパーインポーズ表示を行うための投光要素である。
【００２１】
つぎに、ファインダ光学系４０に含まれるコンデンサレンズ１２に、表示部を一体に形成する利点について説明する。
カメラシステム１００のファインダ７に表示を行うためには、ファインダ光学系４０に含まれる光学部材のいずれかに表示部を形成する必要がある。フォーカシングスクリーン１１に表示部を形成する場合には、ピント面１１ｂ及びフレネル面１１ａの影響によりフレアが発生する可能性がある。
【００２２】
また、フォーカシングスクリーン１１とコンデンサレンズ１２との間に反射板を配置し、反射板に表示部を形成する場合がある。しかし、この場合には、部品点数が増えて、コストが大きくなると共に、コンデンサレンズ１２と反射板の間にゴミ等が付着したときには、各部品を分解して、ゴミ等の除去を行う必要がある（例えば、交換可能なフォーカシングスクリーン１１に付着したゴミ等は観察者等でも容易に除去できるが、反射板に付着したゴミ等は簡単に除去できない）。
【００２３】
このため、観察者等は、サービスセンター等に反射板の清掃を依頼することになる。さらに、反射板を脱着可能にした場合であっても、視野マスク２４を反射板の上に配置しなければならないので、ピント面１１ｂとの距離が大きくなり、観察者が視線を振ったときの視差が生じやすい。
【００２４】
本実施形態におけるカメラシステム１００では、上述したように、コンデンサレンズ１２に表示部を一体に形成している。
コンデンサレンズ１２は、例えば樹脂で成形されており、解像度を高めるために歪みを少なくしなければならない点、高温高湿の環境下でも品質を維持しなければならない点、表示部に複数の微小プリズム（後述）を面精度よく成形しなければならない点等を考慮している。コンデンサレンズ１２によれば、ガラス製のものと比べて軽量化を図ることができ、部品加工を行うための工程数の削減、及びコストダウンを図ることができる。
【００２５】
図２は、投光部３０を示す斜視図である。
図３は、投光部３０の光源部を示す断面図である。
投光部３０は、投光ホルダ２２と、投光プリズム１４と、ペンタプリズム１３等を備え、光源であるＬＥＤ１６のＬＥＤ光Ｌ１〜Ｌ９を、コンデンサレンズ１２に一体に形成された表示部に入射する。
ＬＥＤ１６は、例えば、コンデンサレンズの下面１２Ａに形成された焦点検出枠１２ａ〜１２ｉにそれぞれ対応するようにＬＥＤ１６ａ〜１６ｉを備えており、ＬＥＤ１６ａ〜１６ｉは、硬質基板１５のランド（不図示）に半田付けされて配列されている。
【００２６】
レンズアレイ１８には、ＬＥＤ１６ａ〜１６ｉに対応して半球状のレンズ１８ａ２〜１８ｉ２が設けられている。レンズ１８ａ２〜１８ｉ２は、ＬＥＤ光Ｌ１〜Ｌ９を集光して、レンズモールド型ＬＥＤに比べ輝度が低下することを補うと共に、絞りマスク２１との組み合わせにより、面光源を作り出すことができる。
【００２７】
具体的には、ＬＥＤ光Ｌ１〜Ｌ９は、ＬＥＤ１６ａ〜１６ｉに対応して配列されたレンズアレイ１８の導光路１８ａ１〜１８ｉ１より入射して、レンズ１８ａ２〜１８ｉ２より集光され射出された後、拡散板１９及び絞りマスク２０を通過することにより、面光源が形成される。また、レンズアレイ１８に設けられた導光路１８ａ１〜１８ｉ１は、表示の混信（クロストーク）やゴーストがファインダ７で視認されることを防止することができる。
【００２８】
ＬＥＤ１６は、チップ型であって、指向性は小さく投射される範囲は広い。このため、硬質基板１５とレンズアレイ１８の間には、第一遮光部材１７が配置され、レンズアレイ１８と拡散板２０の間には、第二遮光部材１９が配置されている。なお、第一遮光部材１７及び第二遮光部材１９の材料としては、密着性を高めるためにゴム等の弾性を有するものが望ましい。
【００２９】
投光プリズム１４は、レンズ１４ａ〜１４ｃと、反射面１４ｄ〜１４ｆと、反射面１４ｇ〜１４ｉと、レンズ１４ｊ〜１４ｌとを備えており、ＬＥＤ光Ｌ１〜Ｌ９は、レンズ１４ａ〜１４ｃより入射し、反射面１４ｄ〜１４ｆで全反射され、さらに反射面１４ｇ〜１４ｉで反射して、先端のレンズ１４ｊ〜１４ｌにより、コンデンサレンズ１２に投影される。
【００３０】
投光プリズム１４の入射面は、レンズ１４ａ，１４ｂ，１４ｃであり、同じく、射出面は、レンズ１４ｊ，１４ｋ，１４ｌであり、それぞれ曲率を設けている。投光プリズム１４は、例えば、３つの光学ブロック（レンズ１４ａ，１４ｄ，１４ｇ，１４ｊを１つの光学ブロックとする）を備えている。
【００３１】
入射面のレンズ１４ａ，１４ｂ，１４ｃは、複数のＬＥＤ１６ａ〜１６ｉから投射されたＬＥＤ光Ｌ１〜Ｌ９を３つの光学ブロックで入射及び射出させるために、射出面のレンズ１４ｊ、１４ｋ、１４ｌの略中央にＬＥＤ光Ｌ１〜Ｌ９を向ける。射出面のレンズ１４ｊ、１４ｋ、１４ｌは、コンデンサレンズ１２に一体に形成された表示部と絞りマスク２１とを投影関係にする。
【００３２】
反射面１４ｇ〜１４ｉは、全反射面ではなく、ＬＥＤ光Ｌ１〜Ｌ９を反射する面の範囲を蒸着して反射率を上げている。反射面１４ｅ、１４ｆ及び反射面１４ｈ、１４ｉは、照射する焦点検出枠１２ａ〜１２ｉの位置に応じて、反射面１４ｄ、１４ｇと角度を変えている。
【００３３】
ここで、ペンタプリズム１３の上面（ここでは、三角形状）１３ａは、一般的に、黒色塗装が施されるか、又は、粗削り面に成形されることにより非反射面とされているが、本実施形態では、ＬＥＤ光Ｌ１〜Ｌ９の入射面を確保するために上面（ここでは、台形状）１３ｂを鏡面にしている。したがって、投光プリズム１４から射出したＬＥＤ光Ｌ１〜Ｌ９は、ペンタプリズム１３の上面１３ｂからペンタプリズム１３内に入射する。
【００３４】
図４は、ペンタプリズム１３に入射したＬＥＤ光を示す図である。ここでは、一例として、ＬＥＤ光Ｌ１，Ｌ４，Ｌ７の光路を示す。
図５は、焦点検出枠１２ａ〜１２ｉが形成された下面１２Ａを示す図である。
ペンタプリズム１３に入射したＬＥＤ光Ｌ１，Ｌ４，Ｌ７は、コンデンサレンズ１２により歪曲収差が補正されると共に、コンデンサレンズ１２の下面１２Ａに形成された焦点検出枠１２ａ，１２ｄ，１２ｇに、入射光Ｌ１’，Ｌ４’，Ｌ７’としてそれぞれ入射される。焦点検出枠１２ａ，１２ｄ，１２ｇは、多数の微細なプリズムの集合体であって、そのプリズムは、それぞれ斜面１２ａ１，１２ａ２と、１２ｄ１，１２ｄ２と、１２ｇ１，１２ｇ２とを有する。
【００３５】
焦点検出枠１２ａ，１２ｄ，１２ｇへの入射光Ｌ１’，Ｌ４’，Ｌ７’は、焦点検出枠１２ａ，１２ｄ，１２ｇに配列されるプリズムの斜面１２ａ１，１２ｄ１，１２ｇ１でそれぞれ全反射し、さらに、斜面１２ａ１，１２ｄ１，１２ｇ１に対向する斜面１２ａ２，１２ｄ２，１２ｇ２で全反射してペンタプリズム１３にそれぞれ入射する。
【００３６】
コンデンサレンズ１２は、焦点検出枠１２ａ〜１２ｉを形成する各プリズム以外は透明である。このため、焦点検出枠１２ａ〜１２ｉを形成する各プリズムに入射しなかった光束は、フォーカシングスクリーン１１を通って可動ミラー３の方へ抜けるので、ファインダ７で視認されることはない。
【００３７】
また、各プリズムの断面形状は、微小三角形であって、不図示の撮影レンズより入射した光束は、各プリズムで屈折して接眼レンズ５，６の方向から外れる。このため、焦点検出枠１２ａ〜１２ｉは、例えば、ファインダ７で周囲に比べて暗く（例えば、黒く）視認される。したがって、通常黒く視認される焦点検出枠１２ａ〜１２ｉのうち選択された焦点検出枠１２ａ〜１２ｉだけを、ＬＥＤ光Ｌ１〜Ｌ９の色（例えば、赤）に応じて、ファインダ７に表示することができる。
【００３８】
焦点検出枠１２ａ〜１２ｉを形成する各プリズムは、ペンタプリズム１３、接眼レンズ５，６を介して、観察者のアイポイントに反射光が到達するように、入射光Ｌ１’〜Ｌ９’に対して、各プリズムの稜線が略直交するようにそれぞれ配列されている。
【００３９】
図６は、中央の焦点検出枠１２ａの部分拡大図である。
焦点検出枠１２ａは、二次元に配列された複数の微小なプリズム１２−１ａ，１２−２ａから形成されており、プリズム１２−１ａ，１２−２ａは、斜面１２ａ１，１２ａ２と、これら斜面１２ａ１，１２ａ２の接線である稜線１２ａＡとを有する。プリズム１２−１ａは、長さＬ１ａであり、プリズム１２−２ａは、長さＬ２ａである。焦点検出枠１２ａでは、図示のように、プリズム１２−１ａ，１２−２ａの稜線１２ａＡが水平方向と略平行であるので、プリズム１２−１ａ，１２−２ａを入射光Ｌ１’に対して略直交するように配列することで、結果的に、プリズム１２−１ａ，１２−２ａを隙間なく配列することができる。
【００４０】
表示部を有するコンデンサレンズは、通常射出成形され、表示部を構成するプリズム１２−１ａ，１２−２ａと同形状の圧子を金型に打ち込み加工する。ここでは、プリズム１２−１ａ，１２−２ａは、全て同一形状であるので（すなわち、Ｌ１ａ＝Ｌ２ａ）、同一形状の圧子を用いることになり、効率的な加工を行うことができる。
【００４１】
図７は、図５に示す焦点検出枠１２ｇの部分拡大図である。なお、説明の便宜上、焦点検出枠１２ｇの設計上の大きさ（設計寸法）を二点鎖線で示す。
焦点検出枠１２ｇは、例えば、端部の列Ａと、端部以外の列Ｂ（ここでは、６列）とに区分される。焦点検出枠１２ｇは、例えば、二次元に配列された複数の微小なプリズム１２−１ｇ，１２−２ｇにより形成されている。プリズム１２−１ｇは、端部以外の列Ｂを構成する。プリズム１２−２ｇは、端部の列Ａを構成する。
【００４２】
プリズム１２−１ｇは、斜面１２ｇ１，１２ｇ２と、これら斜面１２ｇ１，１２ｇ２の接線である稜線１２ｇＡとを有する。プリズム１２−１ｇ，１２−２ｇは、その稜線１２ｇＡが照明手段からの入射光Ｌ７’と略直交するように、水平方向に対して傾いた稜線１２ｇＡの方向に沿って配列される。このため、プリズム１２−１ｇ，１２−２ｇは、図示のように、照明手段からの入射光Ｌ７’に対して略直交するように配列される。
【００４３】
プリズム１２−１ｇの長さＬ１ｇは、プリズム１２−２ｇの長さＬ２ｇよりも短い。さらに、プリズム１２−１ｇは、設計寸法（縦幅ｂ、横幅ｃ）内に収まっている。
他の焦点検出枠１２ｂ〜１２ｆ，１２ｈ，１２ｉについても、焦点検出枠１２ｇと同様に、端部の列Ａを構成するプリズムと、端部以外の列Ｂを構成するプリズムとに区分され、それぞれの端部の列Ａと端部以外の列Ｂでのプリズムの長さを変更すると共に、その焦点検出枠１２ｂ〜１２ｆ，１２ｈ，１２ｉが形成されたコンデンサレンズ下面１２Ａ上の位置に応じて、各プリズムの稜線（不図示）の方向と、入射光Ｌ２’〜Ｌ６’，Ｌ８’，Ｌ９’との角度が略直交するように配列される。
【００４４】
コンデンサレンズ下面１２Ａに焦点検出枠１２ｂ〜１２ｉを形成する場合には、端部以外の列Ｂを構成するプリズム１２−１ｇ（他の焦点検出枠の端部以外の列Ｂを構成するプリズムは不図示：以下、１２−１ｇ等という）の長さＬ１ｇ（他は、同じく不図示：以下、Ｌ１ｇ等という）、端部の列Ａを構成するプリズム１２−２ｇ（他の焦点検出枠の端部の列Ａを構成するプリズムは不図示：以下、１２−２ｇ等という）の長さＬ２ｇ（他は、同じく不図示：以下、Ｌ２ｇ等という）にそれぞれ対応した圧子を金型に打ち込み、例えば、三角柱状の凹部を複数配列させる。圧子を金型に打ち込む場合には、プリズム１２−１ｇ等及びプリズム１２−２ｇ等を配列するときに、その稜線１２ｇＡ（他は不図示：以下、１２ｇＡ等という）と入射光Ｌ２’〜Ｌ９’とがそれぞれ略直交するように、圧子を傾けて金型に打ち込む。
【００４５】
これにより、焦点検出枠を同じ長さのプリズムだけで形成する場合（図１０参照）と異なり、プリズム１２−１ｇ等により形成された端部以外の列Ｂの外縁は、ギザギザが軽減されて略直線状となる。また、プリズム１２−１ｇ等が縦方向に配列されたときの幅を、設計寸法（例えば、縦幅ｂ）に略一致させることができる。
【００４６】
図８は、ファインダ７に表示される焦点検出枠１２ａ〜１２ｉを示す図である。
コンデンサレンズ１２に形成された焦点検出枠１２ｂ〜１２ｉは、上述したように、端部以外の列Ｂを形成するプリズム１２−１ｇ等と、端部の列Ａを形成するプリズム１２−２ｇ等を備え、プリズム１２−１ｇ等の長さＬ１ｇ等は、プリズム１２−２ｇ等の長さＬ２ｇ等よりも短い。また、中央部の焦点検出枠１２ａは、上述したように、プリズム１２−１ａ，１２−２ａを水平方向に配列できるので、長さは同じとしてもよい。
したがって、焦点検出枠１２ａ〜１２ｉの外縁は、ファインダ７に表示される場合に、ギザギザに見えることなく、視認性が向上する。
【００４７】
本実施形態によれば、（１）コンデンサレンズ下面１２Ａに一体に形成された焦点検出枠１２ｂ〜１２ｉのそれぞれにおいて、端部以外の列Ｂを形成するプリズム１２−１ｇ等の長さＬ１ｇ等は、端部の列Ａを形成するプリズム１２−２ｇ等の長さＬ２ｇ等よりも短いので、焦点検出枠１２ｂ〜１２ｉの外縁はファインダ７で略直線状に観察される。
（２）コンデンサレンズ１２にスーパーインポーズ表示を行うための表示部を一体に形成することにより、反射板が不要となり、部品点数の削減及びコストダウンを図ることができ、さらには、反射板の反射による光量の損失を減少させ、ファインダ７での表示の明るさを向上させることができる。
（３）コンデンサレンズ１２とフォーカシングスクリーン１１との間に、反射板を配置する必要がないので、視野マスク２４とピント面１１ｂとを近づけることができ、視差を減少できる。さらに、反射板に付着するゴミ等を除去する必要もなくなる。
（４）コンデンサレンズ１２を樹脂で成形することにより、ガラス製のものと比べて、軽量化、部品加工を行うための工程数の削減、及びコストダウンを図ることができる。
【００４８】
（変形形態）
以上説明した実施形態に限定されることなく、種々の変形や変更が可能であって、それらも本発明の均等の範囲である。
（１）焦点検出枠１２ａ〜１２ｉの端部以外の列Ｂを形成するプリズム１２−１ａ，１２−１ｇ等の長さＬ１ａ，Ｌ１ｇ等は、同一焦点検出枠１２ａ〜１２ｉ内では同じ長さとしたが、焦点検出枠１２ａ〜１２ｉの外縁がファインダ７で略直線状に観察できるのであれば、異なる長さとしてもよい。
【００４９】
図９は、プリズム１２−１ｇの大きさを異なるようにした焦点検出枠１２ｇを示す図である。
焦点検出枠１２ｇの端部以外の列Ｂを形成するプリズム１２−１ｇ’は、上述したプリズム１２−１ｇと比べると、図示のように、長さＬ１ｇだけでなく、長さＬ１ｇの略２倍に相当する長さＬ１ｇ’、同じく、長さＬ１ｇの略３倍に相当する長さＬ１ｇ’’を有しているプリズムを含む点が異なる。
このプリズム１２−１ｇ’では、例えば、端部以外の列Ｂのうち、端部の列Ａに近接した列Ｂ及びこの列Ｂから最も離れた他の列Ｂを形成する少なくとも１つのプリズム１２−１Ｇの長さＬ１ｇは、それ以外のプリズムの長さＬ１ｇ’、Ｌ１ｇ’’よりも短いので、焦点検出枠１２ｇにプリズム１２−１ｇ’を配列するときの設計上の自由度を大きくすることができる。
【００５０】
また、端部以外の列Ｂを形成するプリズム１２−１ｇ’の数を少なくでき、プリズム１２−１ｇ’によって形成される端部以外の列Ｂが設計寸法（縦幅ｂ、横幅ｃ）内に占める面積を大きくできるので、反射光の量を大きくして、ファインダ７での表示の明るさを向上させることができる。
【００５１】
（２）焦点検出枠１２ｂ〜１２ｉでは、長さの異なる２種類のプリズム（プリズム１２−１ｇ等及びプリズム１２−２ｇ等）を用いたが、プリズムを配列したときに、視認性が低下しない程度に（プリズム同士の繋ぎ目の数が多い場合に視認性が低下する）、複数の種類を用いてもよい。これにより、焦点検出枠１２ｂ〜１２ｉの大きさを設計寸法にさらに近づけることができる。
【００５２】
（３）プリズム１２−１ａ，１２−１ｇ等とプリズム１２−２ａ，１２−２ｇ等では、幅を共通としたが、プリズム１２−１ａ，１２−１ｇ等とプリズム１２−２ａ，１２−２ｇ等とで幅を異なるようにしてもよい。
【００５３】
（４）コンデンサレンズ１２に表示部を一体に形成したが、例えば、コンデンサレンズ１２とフォーカシングスクリーン１１との間に反射板を設けた場合には、反射板に表示部を形成して、焦点検出枠１２ａ〜１２ｉを、プリズム１２−１ａ，１２−１ｇ等及びプリズム１２−２ａ，１２−２ｇ等により形成してもよい。
【００５４】
（５）投光プリズム１４は、ＬＥＤ光Ｌ１〜Ｌ９に対応して光学ブロック（３個）を備えていたが、ＬＥＤ光の数に応じて、適宜の数の光学ブロックを備えるようにしてもよい（例えば、ＬＥＤ光が１５個であれば、５個の光学ブロックで投射してもよい）。
【００５５】
（６）ＬＥＤ光Ｌ１〜Ｌ９は、ペンタプリズム１３の上面１３ｂより投光させていたが、可動ミラー３側より投光して、フォーカシングスクリーン１１を通過させて、表示部を照明するようにしてもよい。
【００５６】
【発明の効果】
以上詳しく説明したように、（１）結像光学系の結像面近傍に配置され、結像光学系による被写体像を結像するスクリーン上の結像面近傍には、二次元に配列された複数の柱状屈折部材からなる指標部が形成され、複数の柱状屈折部材は、二次元の配列の一方向に対して傾斜して配列されると共に、二次元の配列の他方向に複数列配列され、複数列のうち一方向の端部に存在する第１の柱状屈折部材列を除いた第２の柱状屈折部材列を構成する柱状屈折部材は、第１の柱状屈折部材列を構成する柱状屈折部材の長さよりも短いので、指標部の外縁は、ファインダで略直線状に観察され、スクリーン上での位置にかかわらず均一な表示を行うことができ、ファインダでの視認性を高めることができる。
【００５７】
（２）指標部を照明する照明手段を備え、傾斜の方向は、前記指標部を照明する光束の光軸に対して直交する方向であり、柱状屈折部材の長手方向を傾斜の方向と一致させるようにしたので、指標部の反射光を観察者のアイポイントに集光させ、ファインダでの視認性を高めることができる。
【００５８】
（３）第２の柱状屈折部材列を構成する柱状屈折部材のうち、他方向の端部に配置された柱状屈折部材は、当該列の他の柱状屈折部材の長さよりも短いので、指標部の設計上の自由度を向上させ、第２の柱状屈折部材列が指標部に占める面積を大きくできるので、指標部の反射光の量を大きくして、ファインダでの明るさを向上させることができる。
【００５９】
（４）指標部は、屈折力を有する光学部材であるスクリーンと一体に形成されているので、反射板等の部品が不要となり、コストダウン、反射板での反射による光量の損失を小さくできると共に、視野マスクとピント面を近づけることにより視差を減らすこともできる。
【図面の簡単な説明】
【図１】本発明による光学機器の表示装置の実施形態を示す図である。
【図２】投光部３０を示す斜視図である。
【図３】投光部３０の光源部を示す断面図である。
【図４】ペンタプリズム１３に入射したＬＥＤ光を示す図である。
【図５】焦点検出枠１２ａ〜１２ｉが形成された下面１２Ａを示す図である。
【図６】中央の焦点検出枠１２ａの部分拡大図である。
【図７】図５に示す焦点検出枠１２ｇの部分拡大図である。
【図８】ファインダ７に表示される焦点検出枠１２ａ〜１２ｉを示す図である。
【図９】プリズム１２−１ｇの大きさを異なるようにした焦点検出枠１２ｇを示す図である。
【図１０】従来の焦点検出枠の部分拡大図である。
【符号の説明】
１１  フォーカシングスクリーン
１２  コンデンサレンズ
１２Ａ  コンデンサレンズの下面
１２ａ〜１２ｉ  焦点検出枠
１２−１ｇ，１２−２ｇ  プリズム
１２ｇＡ  稜線方向
１３  ペンタプリズム
１６ａ〜１６ｉ  ＬＥＤ
２２  ホルダ
３０  投光部
４０  ファインダ光学系
５０  カメラボディ
１００  カメラシステム
Ｌ１〜Ｌ９  ＬＥＤ光
Ｌ１’〜Ｌ９’  入射光
【図１】
2005037493.tif 000003
【図２】
2005037493.tif 000004
【図３】
2005037493.tif 000005
【図４】
2005037493.tif 000006
【図５】
2005037493.tif 000007
【図６】
2005037493.tif 000008
【図７】
2005037493.tif 000009
【図８】
2005037493.tif 000010
【図９】
2005037493.tif 000011
【図１０】
2005037493.tif 000012